(57)【要約】【課題】インターネット上でキャンペーンを実施するキャンペーン実施システムの提供。【解決手段】  キャンペーン登録処理１１２は、管理者端末１２０から登録されたキャンペーンの情報をキャンペーン・データベース１１４に登録する。キャンペーンＵＲＬは、紙媒体や電子メール、ウェブページ等でユーザに通知される。そして、ユーザ端末１４０からキャンペーンＵＲＬにアクセスがあると、キャンペーン実施処理１１３が、キャンペーンを実施して、ユーザに賞品（ここではポイント）を付与し、キャンペーンに対応付けられている広告ページ１１１をユーザ端末１４０に送信して、ユーザに閲覧させる。  これにより、キャンペーン開催者はキャンペーンの作成・実施を簡単に行なうことができる。また、ユーザはＵＲＬをクリックするだけで賞品（ポイント）を得られるため、広告の閲覧が促進される。【選択図】図１
2008077521.tif 000002
【特許請求の範囲】
【請求項１】
インターネット上でユーザの端末に対してキャンペーンを実施する、サーバ上のキャンペーン実施システムであって、
前記サーバには、
広告ページを記憶している広告ページ記憶手段と、
前記キャンペーンのキャンペーンＩＤ、キャンペーン期間、付与ポイント数、および前記広告ページのＵＲＬを記憶しているキャンペーン記憶手段と、
前記ユーザのユーザＩＤおよび取得ポイント数を記憶しているユーザ記憶手段と、
前記ユーザの端末から該ユーザのユーザＩＤを受信するユーザＩＤ受信手段と、
前記ユーザの端末から、前記キャンペーンＩＤを含むキャンペーンＵＲＬへのアクセスを受信すると、前記ユーザＩＤ受信手段からのユーザＩＤに対応する前記ユーザ記憶手段の前記取得ポイント数に、該キャンペーンＩＤに対応する前記付与ポイント数を前記キャンペーン記憶手段から読み出して加算するとともに、該キャンペーンＩＤに対応する前記広告ページのＵＲＬを前記キャンペーン記憶手段から読み出して、前記広告ページを該ユーザの端末に送信するキャンペーン実施手段と
を備えることを特徴とするキャンペーン実施システム。
【請求項２】
請求項１に記載のキャンペーン実施システムであって、
前記キャンペーン記憶手段には、さらに、最大付与件数およびポイント付与数を記憶しており、
前記キャンペーン実施手段は、前記付与ポイント数の加算を行なうごとに前記ポイント付与数を１増加し、前記ポイント付与数が前記最大付与件数になるまで前記付与ポイント数の加算を行なうこと
を特徴とするキャンペーン実施システム。
【請求項３】
請求項１又は２に記載のキャンペーン実施システムであって、
前記キャンペーン記憶手段には、さらに、当選確率を記憶しており、
前記キャンペーン実施手段は、前記ユーザの端末から前記キャンペーンＵＲＬにアクセスがあると前記当選確率に応じて抽選を行ない、当選したユーザに対して前記付与ポイント数の加算を行なうこと
を特徴とするキャンペーン実施システム。
【請求項４】
請求項１〜３のいずれかに記載のキャンペーン実施システムであって、
前記ユーザ記憶手段には、さらに、前記ユーザがどのキャンペーンに参加済みであるかを示すキャンペーン参加状況を記憶しており、
前記キャンペーン実施手段は、前記ユーザの端末から前記キャンペーンＵＲＬにアクセスがあると前記キャンペーン参加状況を参照して、既に該キャンペーンに参加済みであるユーザには前記付与ポイント数の加算を行なわないこと
を特徴とするキャンペーン実施システム。
【請求項５】
請求項１〜４のいずれかに記載のキャンペーン実施システムであって、
さらに、前記キャンペーンの開催者が前記キャンペーンＩＤを除く前記キャンペーン記憶手段の項目を入力するためのキャンペーン入力手段と、
前記キャンペーン入力手段から情報が入力されると、前記キャンペーンＩＤを生成して、該キャンペーンＩＤおよび前記入力された情報を前記キャンペーン記憶手段に登録するキャンペーン登録手段と
を備えることを特徴とするキャンペーン実施システム。
【請求項６】
インターネット上でユーザの端末に対してキャンペーンを実施する、サーバ上のキャンペーン実施方法であって、
前記サーバには、
広告ページを広告ページ記憶手段に記憶しており、
前記キャンペーンのＩＤ、キャンペーン期間、付与ポイント数、および前記広告ページのＵＲＬをキャンペーン記憶手段に記憶しており、
前記ユーザのＩＤおよび取得ポイント数をユーザ記憶手段に記憶しており、
前記ユーザの端末から該ユーザのユーザＩＤを受信するユーザＩＤ受信ステップと、
前記ユーザの端末から、前記キャンペーンＩＤを含むキャンペーンＵＲＬへのアクセスを受信すると、前記ユーザＩＤ受信手段からのユーザＩＤに対応する前記ユーザ記憶手段の前記取得ポイント数に、該キャンペーンＩＤに対応する前記付与ポイント数を前記キャンペーン記憶手段から読み出して加算するとともに、該キャンペーンＩＤに対応する前記広告ページのＵＲＬを前記キャンペーン記憶手段から読み出して、前記広告ページを該ユーザの端末に送信するキャンペーン実施ステップと
を備えることを特徴とするキャンペーン実施方法。
【請求項７】
請求項１〜５のいずれかに記載のキャンペーン実施システムの各手段をコンピュータに機能させるためのプログラム。
【発明の詳細な説明】
【技術分野】
【０００１】
本発明は、インターネット上でキャンペーンを実施するためのシステムに関する。
【背景技術】
【０００２】
従来、インターネット上において、商品やサービス等の広告が広く行なわれている。インターネット上の広告の方法として、例えば、まず、広告掲載者や広告主等が、商品等を広告するためのウェブページ（以降「広告ページ」という）を作成してサーバにアップロードする。そして、利用者（ユーザ）に送信するメールマガジン等に該広告ページのＵＲＬを記載したり、ユーザが閲覧するウェブページに該広告ページへのリンクを貼ったバナー画像を表示したりして行なう。ここでユーザがＵＲＬやバナー画像をクリックすれば、ユーザに広告ページを見てもらうことができる。
ユーザにインターネット上の広告閲覧を促すために、広告ページにアクセスしたユーザが得をするような方法を採ることが有効である。そのひとつとして、あらかじめ定めた期間中に広告ページを閲覧したユーザに対して賞品を与えるキャンペーンを実施することが挙げられる。
【０００３】
ここで、インターネット上のショッピング・モールの運営者や各店舗が、ショッピング・モールに登録しているユーザに対して上述のキャンペーンを行なう場合には、該ショッピング・モールで利用可能なポイントを賞品としてユーザに付与することもできる。
本願出願人は、従来、紙媒体や電子メールを通じたキャンペーンを行なっている（非特許文献１）。これは、紙媒体や電子メールに例えば１２桁の数字からなるコードを掲載し、ユーザがパソコンや携帯電話等の端末からキャンペーン用のウェブページにアクセスして該コードを入力すると、入力したユーザ全員に、または抽選で、ポイントを付与するものである。コードはキャンペーンごとに、あるいはユーザごとに用意されており、ユーザが入力したコードによりキャンペーンあるいはユーザを識別することができる。
この方法は、例えばユーザが商品購入やサービスの利用、会員登録等を行なうことを条件としてポイントを付与するキャンペーンにおいて、大きな効果を上げている。
【０００４】
しかしながら、この方法を広告閲覧の促進に用いる場合には、キャンペーンの数は非常に多くなり、１回のキャンペーンでユーザに付与されるポイントも少なくなる。このため、ユーザがコードを入力するのは、獲得するポイントに比して手間である。また、キャンペーンの開催者（ショッピング・モールの運営者や各店舗）にとっても、キャンペーンごと、あるいはユーザごとに異なるコードの管理は煩雑である。
また、インターネット上で効果的なキャンペーンを行なうためには、キャンペーン開催者は、個々のキャンペーンについてさまざまな要素を考慮しつつキャンペーンのデータを作成する必要がある。例えば、キャンペーンの内容やユーザの属性（性別、年齢層、嗜好等）等に応じて、キャンペーンの通知方法、ポイントを全員に付与するか抽選で付与するか、抽選の場合には当選確率や当選人数、キャンペーンをオープン（誰でも参加可能）とするかクローズド（参加できるユーザを限定）とするか等を決めなければならない。このように、効果の高いキャンペーンを用意するには多大な労力を要し、広告閲覧のような多数のキャンペーンを扱うことは難しい。
【０００５】
【非特許文献１】http://luckypoint.rakuten.co.jp/  「楽天ラッキーポイント」
【発明の開示】
【発明が解決しようとする課題】
【０００６】
本発明の課題は、インターネット上でキャンペーンを簡易に実施することができるシステムを提供して、上述の問題を解消することである。
【課題を解決するための手段】
【０００７】
上記の課題を解決するために、本発明は、インターネット上でユーザの端末に対してキャンペーンを実施する、サーバ上のキャンペーン実施システムであって、前記サーバには、広告ページを記憶している広告ページ記憶手段と、前記キャンペーンのＩＤ、キャンペーン期間、付与ポイント数、および前記広告ページのＵＲＬを記憶しているキャンペーン記憶手段と、前記ユーザのＩＤおよび取得ポイント数を記憶しているユーザ記憶手段と、前記ユーザの端末から該ユーザのユーザＩＤを受信するユーザＩＤ受信手段と、前記ユーザの端末から、前記キャンペーンＩＤを含むキャンペーンＵＲＬへのアクセスを受信すると、前記ユーザＩＤ受信手段からのユーザＩＤに対応する前記ユーザ記憶手段の前記取得ポイント数に、該キャンペーンＩＤに対応する前記付与ポイント数を前記キャンペーン記憶手段から読み出して加算するとともに、該キャンペーンＩＤに対応する前記広告ページのＵＲＬを前記キャンペーン記憶手段から読み出して、前記広告ページを該ユーザの端末に送信するキャンペーン実施手段とを備えることを特徴とするキャンペーン実施システムである。
【０００８】
前記キャンペーン記憶手段には、さらに、最大付与件数およびポイント付与数を記憶しており、前記キャンペーン実施手段は、前記付与ポイント数の加算を行なうごとに前記ポイント付与数を１増加し、前記ポイント付与数が前記最大付与件数になるまで前記付与ポイント数の加算を行なうことを特徴としてもよい。
前記キャンペーン記憶手段には、さらに、当選確率を記憶しており、前記キャンペーン実施手段は、前記ユーザの端末から前記キャンペーンＵＲＬにアクセスがあると前記当選確率に応じて抽選を行ない、当選したユーザに対して前記付与ポイント数の加算を行なうことを特徴としてもよい。
前記ユーザ記憶手段には、さらに、前記ユーザがどのキャンペーンに参加済みであるかを示すキャンペーン参加状況を記憶しており、前記キャンペーン実施手段は、前記ユーザの端末から前記キャンペーンＵＲＬにアクセスがあると前記キャンペーン参加状況を参照して、既に該キャンペーンに参加済みであるユーザには前記付与ポイント数の加算を行なわないことを特徴としてもよい。
さらに、前記キャンペーンの開催者が前記キャンペーンＩＤを除く前記キャンペーン記憶手段の項目を入力するためのキャンペーン入力手段と、前記キャンペーン入力手段から情報が入力されると、前記キャンペーンＩＤを生成して、該キャンペーンＩＤおよび前記入力された情報を前記キャンペーン記憶手段に登録するキャンペーン登録手段とを備えることを特徴としてもよい。
【０００９】
また、本発明は、インターネット上でユーザの端末に対してキャンペーンを実施する、サーバ上のキャンペーン実施方法であって、前記サーバには、広告ページを広告ページ記憶手段に記憶しており、前記キャンペーンのＩＤ、キャンペーン期間、付与ポイント数、および前記広告ページのＵＲＬをキャンペーン記憶手段に記憶しており、前記ユーザのＩＤおよび取得ポイント数をユーザ記憶手段に記憶しており、前記ユーザの端末から該ユーザのユーザＩＤを受信するユーザＩＤ受信ステップと、前記ユーザの端末から、前記キャンペーンＩＤを含むキャンペーンＵＲＬへのアクセスを受信すると、前記ユーザＩＤ受信手段からのユーザＩＤに対応する前記ユーザ記憶手段の前記取得ポイント数に、該キャンペーンＩＤに対応する前記付与ポイント数を前記キャンペーン記憶手段から読み出して加算するとともに、該キャンペーンＩＤに対応する前記広告ページのＵＲＬを前記キャンペーン記憶手段から読み出して、前記広告ページを該ユーザの端末に送信するキャンペーン実施ステップとを備えることを特徴とするキャンペーン実施方法である。
【００１０】
請求項１〜５のいずれかに記載のキャンペーン実施システムの各手段をコンピュータに機能させるためのプログラムも、本発明である。
【発明の効果】
【００１１】
本発明のキャンペーン実施システムは、キャンペーン開催者のために、キャンペーン登録用の画面を用意する。したがって、キャンペーン開催者は、キャンペーン期間・当選確率・付与ポイント数・最大付与件数・広告ＵＲＬ等の情報を、用意されているフォームに入力するだけで、キャンペーンをサーバに登録することができる。また、いちど登録したキャンペーンの編集や削除も簡単に行なうことができる。
また、当選確率、付与ポイント数、最大付与件数の値の組合せにより、抽選や全員当選、先着当選等の多彩な当選者決定方法を採ることができる。
また、本発明のキャンペーン実施システムは、登録されたキャンペーンごとにキャンペーンＵＲＬを用意する。したがって、キャンペーンのユーザへの通知を、簡単に、かつさまざまな方法で行なうことができる。例えば、雑誌やチラシ等の紙媒体への掲載、メールマガジン等の電子メールやウェブサイトへの掲載等、キャンペーンの目的や、ターゲットとしたいユーザ層等に応じた通知方法を採ることができる。
また、キャンペーンごとにキャンペーンＵＲＬを用意するため、ＱＲコードによる通知が容易である。したがって、携帯電話用のキャンペーンにおいて非常に便利である。
一方、ユーザにとっては、キャンペーンに参加するにはクリック等の簡単な操作でキャンペーンＵＲＬにアクセスするだけでよく、従来のようなコード入力等も必要ない。したがって、広告ページの閲覧が促進される。もちろん、広告ページの内容は、必ずしも商品やサービスの広告である必要はなく、ユーザに見せたい情報でよい。
【発明を実施するための最良の形態】
【００１２】
以降、本発明のキャンペーン実施システムの実施形態の例を、図面を参照しながら詳細に説明する。なお、ここでは、登録されたユーザをキャンペーン実施の対象とし、キャンペーンに参加したユーザにポイントを付与する場合の例を中心に説明する。
【００１３】
図１は、本実施形態のキャンペーン実施システムのシステム構成例を示した図である。
図１において、サーバ１１０は、本実施形態のキャンペーン実施システムの各処理を行なうサーバである。
また、管理者端末１２０は、キャンペーンの開催者（例えば、インターネット上のショッピング・モールにおける運営者等）がキャンペーンの登録・編集・削除等を行なうパソコン等の端末であり、サーバ１１０と専用回線等で接続している。なお、インターネット１３０を経由して接続してもよい。
また、ユーザ端末１４０は、ユーザが使用する端末であり、パソコンや携帯電話等、インターネット１３０を通じてサーバ１１０にアクセスすることができる端末である。ブラウザ１４１は、ユーザ端末１４０にインストールされているブラウザソフトウェアである。ユーザ端末１４０には、さらに、バーコードリーダ（例えば携帯電話のＱＲコードリーダ）等を備えていてもよい。
【００１４】
サーバ１１０に戻り、広告ページ１１１は、ユーザに閲覧させる広告ページであり、例えば、キャンペーン開催者が管理者端末１２０で作成してサーバ１１０にアップロードする。なお、広告ページ１１１の内容は、必ずしも商品やサービスの広告である必要はなく、ユーザに見せたい情報でよい。
キャンペーン登録処理１１２は、キャンペーン開催者が管理者端末１２０から入力したキャンペーンの開催期間や当選確率、対応する広告ページのＵＲＬ等の情報をキャンペーン・データベース１１４に登録するプログラムである。
【００１５】
図２は、キャンペーン・データベース１１４の項目の例を示した図である。
「キャンペーンＩＤ」は、キャンペーンに一意のＩＤであり、キャンペーンの登録時にシステムで自動的に決定する。
「キャンペーン和名」および「キャンペーン英名」は、それぞれキャンペーンの日本語および英語の名称である。「キャンペーン期間」は、キャンペーンを行なう期間である。「当選確率」は、参加者に対する当選者の率である。「付与ポイント数」は、当選者に付与するポイント数である。「最大付与件数」は、当選者の上限数である。
「キャンペーンタイプ」は、キャンペーンをパソコン用のウェブページで行なうか、携帯電話用のウェブページで行なうか、その両方とするかの選択肢である。
「広告メッセージ」は、キャンペーンのページから広告ページ１１１に遷移するためのリンクに表示するメッセージである。「広告ＵＲＬ（パソコン）」および「広告ＵＲＬ（モバイル）」は、それぞれ、このキャンペーンから遷移する広告ページ１１１のパソコン用および携帯電話用のＵＲＬである。
「ポイント有効期間」は、このキャンペーンでユーザに付与されるポイントの利用可能期間である。なお、システムにおいてポイントの利用期間を設けない場合には、この項目は無くてもよい。
本実施形態では、上述の「キャンペーン和名」から「ポイント有効期間」までの項目は、キャンペーン開催者が管理者端末１２０から入力して登録する。このように、本実施形態では、キャンペーンに必要な情報を簡単に登録することができる。キャンペーン登録については、後で詳しく説明する。
【００１６】
また、「ポイント付与数」は、そのキャンペーンにおいて現在までにポイントが付与されたユーザの人数である。ポイント付与数は、ユーザにポイントが付与されるごとに更新（１増加）される。
なお、ここでは上記の項目をひとつのデータベースで管理する例で説明しているが、複数のデータベースに分けて格納しても構わない。また、必要に応じて上記以外の項目を設けてもよい。
【００１７】
本実施形態では、キャンペーンをユーザに通知するために、キャンペーンに一意のＵＲＬ（以降「キャンペーンＵＲＬ」という）を用意する。キャンペーンＵＲＬは、上述のキャンペーンタイプに応じて、パソコン用、携帯電話用、またはその両方を用意する。
ここで、本実施形態では、上述のキャンペーンＩＤ（キャンペーンに一意のＩＤ）を用いたＵＲＬを、キャンペーンＵＲＬとする。例えば、あるキャンペーンのキャンペーンＩＤが「１２３４５６７」であるとすると、パソコン用のキャンペーンＵＲＬは「ｈｔｔｐｓ：／／ｃｌｉｃｋｐｏｉｎｔ．ｒａｋｕｔｅｎ．ｃｏ．ｊｐ／？ｃｐ＝１２３４５６７」、携帯電話用のキャンペーンＵＲＬは「ｈｔｔｐ：／／ｓｔｇ−ｃｐ．ｒａｋｕｔｅｎ．ｃｏ．ｊｐ／？ｃｐ＝１２３４５６７」である。すなわち、ユーザがそのＵＲＬにアクセスすると、キャンペーンＩＤをパラメータとして後述のキャンペーン実施処理１１３を起動して、対応するキャンペーンを実施することができる。
キャンペーンＵＲＬは、例えば、ウェブサイトにリンクを張る、メールマガジン等の電子メールに掲載する、紙媒体にテキストやＱＲコードで載せる等の方法でユーザに通知する。
【００１８】
キャンペーン実施処理１１３は、ユーザがユーザ端末１４０からキャンペーンＵＲＬにアクセスすると、抽選を行なって当選したユーザにポイントを付与し、そのキャンペーンに対応する広告ページ１１１をユーザ端末１４０に送信して、ユーザに閲覧させるプログラムである。
付与されたポイントは、ユーザ・データベース１１５に記憶され、以降、ユーザが利用することができる。
【００１９】
図３は、ユーザ・データベース１１５の項目の例を示した図である。
「ユーザＩＤ」はユーザに一意のＩＤである。「パスワード」は、そのユーザが本実施形態のキャンペーン実施システムにログインするためのパスワードである。本実施形態では、従来の多くのログイン処理で行なわれているように、ユーザはユーザＩＤとパスワードでログインを行なうものとする。
「取得ポイント数」は、そのユーザが現在保有しているポイント数である。「ポイント有効期間情報」は、ポイントの有効期間（利用可能な期間）を示す情報である。「キャンペーン参加状況」は、そのユーザがどのキャンペーンに参加済みであるかを示す情報である。これらの項目により、ポイントに有効期間を設けたり、ユーザが同一のキャンペーンに一度しか参加できないようにしたりできる。
なお、ここでは上記の項目をひとつのデータベースで管理する例で説明しているが、複数のデータベースに分けて格納しても構わない。また、必要に応じて上記以外の項目（例えば、ユーザの氏名・住所といった個人情報や、ユーザの嗜好を示す情報、ポイント取得の履歴等）を設けてもよい。
【００２０】
なお、図１ではサーバ１１０をひとつに図示して説明しているが、実際には、例えば、広告ページ１１１等のウェブページはウェブサーバに、キャンペーン登録処理１１２およびキャンペーン実施処理１１３はアプリケーション・サーバに、キャンペーン・データベース１１４およびユーザ・データベース１１５はデータサーバに格納されている。なお、ここに述べたサーバ構成は一例である。
【００２１】
以降、（１）キャンペーン登録処理１１２によるキャンペーンの登録、（２）登録したキャンペーンのユーザへの通知、（３）キャンペーン実施処理１１３によるキャンペーンの実施について、順に説明する。
【００２２】
（１）キャンペーン登録
本実施形態では、キャンペーン開催者が管理者端末１２０からキャンペーンの登録・編集・削除を行なうものとする。ここでは、管理者端末１２０にキャンペーンの登録・編集・削除を行なうためのツールを用意する場合の例を用いて、キャンペーンの登録について説明する。なお、他の方法でキャンペーンの登録を行なうようにしてもよい。
以降、管理者端末１２０に表示される画面の例を示した図を参照しながら、キャンペーンの登録について説明する。
【００２３】
図４は、キャンペーン登録の画面の遷移を示した図である。図４に示すように、管理者端末１２０にはまずトップ画面５００が表示される。トップ画面５００からは、キャンペーンを新規登録するためのキャンペーン登録画面６００，または既に登録したキャンペーンの一覧を表示するキャンペーン一覧画面９００に遷移できる。
キャンペーン登録画面６００においてキャンペーンの情報を入力すると、入力内容を管理者に確認させるためのキャンペーン登録確認画面７００に遷移する。入力内容を確認してキャンペーンを登録すると、キャンペーン登録完了画面８００に遷移して、キャンペーンの登録を終了する。
また、キャンペーン一覧画面９００からは、キャンペーンの詳細を表示するキャンペーン詳細画面１１００，キャンペーンの内容を編集するためのキャンペーン編集画面１２００，またはキャンペーンを削除するためのキャンペーン削除画面１５００に遷移できる。
キャンペーン編集画面１２００においてキャンペーンの内容を編集すると、編集内容を管理者に確認させるためのキャンペーン編集確認画面１３００に遷移する。編集内容を確認して保存すると、キャンペーン編集完了画面１４００に遷移して、キャンペーンの編集を終了する。
キャンペーン削除画面１５００においてキャンペーンを削除すると、キャンペーン削除完了画面１６００に遷移して、キャンペーンの削除を終了する。
以降、これらの画面の例を示した図を参照しながら、キャンペーンの登録・編集・削除について説明する。
【００２４】
図５は、トップ画面５００の例を示した図である。「キャンペーン登録ツール」リンク５１０は、キャンペーン登録画面６００に遷移するためのリンクである。「キャンペーン一覧ツール」リンク５２０は、キャンペーン一覧画面９００に遷移するためのリンクである。
【００２５】
図６は、キャンペーン登録画面６００の例を示した図である。キャンペーン情報入力欄６１０は、キャンペーンの情報を入力するための入力欄である。ここでは、管理者端末１２０から、キャンペーン和名、キャンペーン英名、キャンペーン期間、当選確率、付与ポイント数、最大付与件数、キャンペーンタイプ、広告メッセージ、広告ＵＲＬ（パソコン）、広告ＵＲＬ（モバイル）、ポイント有効期間を入力する。これらの項目は、上述のキャンペーン・データベース１１４の項目に対応している。
なお、図６の入力例では、当選確率１００％，付与ポイント数１００ポイント、最大付与件数１００件である。すなわち、キャンペーン期間中に参加（キャンペーンＵＲＬにアクセス）した先着１００名のユーザに１００ポイントずつ付与するキャンペーンである。その他、例えば、当選確率５％，付与ポイント数５０ポイント、最大付与件数が指定なしであれば、キャンペーン期間中に参加したユーザの５％に５０ポイントを付与することを意味する。このように、本実施形態では当選確率、付与ポイント数、最大付与件数の組合せにより多様な懸賞を行なうことができる。
キャンペーン情報入力欄６１０に入力して「次へ」ボタン６２０をクリックすると、入力内容を確認させるためのキャンペーン登録確認画面７００に遷移する。一方、「戻る」リンク６３０をクリックすると、トップ画面５００に戻る。
【００２６】
図７は、キャンペーン登録確認画面７００の例を示した図である。キャンペーン情報表示欄７１０には、上述のキャンペーン登録画面６００で入力された情報を表示している。
「登録」ボタン７２０をクリックすると、キャンペーン登録処理１１２が起動する。キャンペーン登録処理１１２は、キャンペーンに一意のキャンペーンＩＤを生成する。そして、キャンペーンＩＤと、キャンペーン登録画面６００で入力されたキャンペーン和名、キャンペーン英名、キャンペーン期間、当選確率、付与ポイント数、最大付与件数、キャンペーンタイプ、広告メッセージ、広告ＵＲＬ（パソコン）、広告ＵＲＬ（モバイル）、ポイント有効期間を、キャンペーン・データベース１１４に記憶する。ポイント付与数には、初期値としてゼロを記憶する。
そして、キャンペーン・データベース１１４への登録が完了すると、キャンペーン登録完了画面８００に遷移する。
一方、図７のキャンペーン登録確認画面７００において、「戻る」リンク７３０をクリックすると、キャンペーン登録画面６００に戻り、情報を訂正することができる。また、キャンペーン登録画面６００で入力した項目は、後で説明するキャンペーン編集画面１２００で変更することができる。
【００２７】
図８は、キャンペーン登録完了画面８００の例を示した図である。キャンペーンＵＲＬ（パソコン）表示欄８１０およびキャンペーンＵＲＬ（携帯電話）表示欄８２０には、それぞれキャンペーンＵＲＬ（パソコン）およびキャンペーンＵＲＬ（携帯電話）を表示して、入力者である管理者に知らせる。なお、上述したように、キャンペーンＵＲＬはキャンペーンに一意のＵＲＬであり、「？ｃｐ＝」以降の文字列はキャンペーンＩＤである。
「管理メニューへ」リンク８３０をクリックすると、トップ画面５００に遷移する。
【００２８】
図５のトップ画面５００に戻り、「キャンペーン一覧ツール」リンク５２０をクリックすると、キャンペーン一覧画面９００に遷移する。
図９は、キャンペーン一覧画面９００の例を示した図である。キャンペーン一覧表示欄９１０には、キャンペーン・データベース１１４から読み出したキャンペーンの情報（図９ではキャンペーン和名、キャンペーン英名、キャンペーン期間、ポイント有効期間）を一覧表示する。本実施形態では、開始前および開催中のキャンペーンのみをキャンペーン一覧表示欄９１０に一覧表示し、終了したキャンペーンは表示しないものとする。また、開催中のキャンペーンについては、キャンペーン詳細画面１１００での詳細閲覧はできるが、編集や削除は不可とする。なお、これは一例であり、例えば終了したキャンペーンも閲覧できるようにしてもよいし、開催中のキャンペーンについても編集や削除ができるようにしてもよい。
各キャンペーンの右に表示されている「詳細」ボタン９１１をクリックすると、該キャンペーンの詳細を表示したキャンペーン詳細画面１１００に遷移する。また、「編集」ボタン９１２をクリックすると、該キャンペーンを編集するためのキャンペーン編集画面１２００に遷移する。また、「削除」ボタン９１３をクリックすると、該キャンペーンを削除するためのキャンペーン削除画面１５００に遷移する。
件数表示欄９２０には、一覧表示対象であるキャンペーンの総件数（図９では６２件）と、現在表示している件数（図９では１〜１０件目）が表示されている。「次の１０件」リンクをクリックすると、キャンペーン一覧表示欄９１０に次の１０件（図９では１１〜２０件目）を一覧表示したキャンペーン一覧画面９００に遷移する。このとき、件数表示欄９２０には「前の１０件」リンクも表示するようにするとよい。
「戻る」リンク９３０をクリックすると、トップ画面５００に遷移する。
【００２９】
ここで、図９のキャンペーン一覧画面９００では、キャンペーンの編集・削除のいずれも行なうことができる。しかしながら、例えばショッピング・モールの各店舗がそれぞれキャンペーンを行なえるシステムとする場合には、キャンペーン開催者が複数となり、キャンペーンの閲覧・編集・削除の権限を一部の者のみに許可するようにすることが必要である。
このようなアクセス許可には、アクセス者の地位等により権限を与えるレベルを分ける場合や、そのキャンペーンの開催者のみに権限を与える場合等が考えられる。なお、この場合には、例えば上述のキャンペーン登録時に、キャンペーン・データベース１１４にキャンペーン開催者の情報も記憶しておく必要がある。
図１０は、編集権限がない場合のキャンペーン一覧画面の例を示した図である。キャンペーン一覧表示欄１０１０，「詳細」ボタン１０１１，「削除」ボタン１０１２は、図９のキャンペーン一覧画面９００と同様である。なお、編集権限を与えないため、「編集」ボタンは表示しない。または、クリック等の操作を不可にする形式で表示していてもよい。また、編集も削除も制限（詳細の閲覧のみを許可）したい場合には、「削除」ボタン１０１２についても表示しないようにする。
件数表示欄１０２０および「戻る」リンク１０３０は、図９のキャンペーン一覧画面９００と同様である。
【００３０】
図９のキャンペーン一覧画面９００に戻り、「詳細」ボタン９１１をクリックすると、キャンペーン詳細画面１１００に遷移する。
図１１は、キャンペーン詳細画面１１００の例を示した図である。キャンペーン情報表示欄１１１０には、そのキャンペーンのキャンペーン和名、キャンペーン英名、キャンペーン期間、当選確率、キャンペーンタイプ、広告メッセージ、広告ＵＲＬ（パソコン）、広告ＵＲＬ（モバイル）、ポイント有効期間を、キャンペーン・データベース１１４から読み出して表示する。また、キャンペーンＩＤを読み出して、キャンペーンＵＲＬ（パソコン）、キャンペーンＵＲＬ（モバイル）を表示する。
ポイント付与情報表示欄１１２０には、付与ポイント数および最大付与件数を、キャンペーン・データベース１１４から読み出して表示する。また、付与件数の欄には、当選者数（すなわち、現時点でのポイント付与件数）を読み出して表示する。なお、開始前のキャンペーンについては、付与件数はまだゼロである。
【００３１】
ヘッダ（パソコン）表示欄１１３０，フッタ（パソコン）表示欄１１４０，ヘッダ（モバイル）表示欄１１５０，フッタ（モバイル）表示欄１１６０には、それぞれ、ユーザがキャンペーンにアクセスすると表示されるウェブページ（パソコン用のページおよびモバイル用のページ）の上部および下部に表示するヘッダおよびフッタを表示する。なお、ヘッダおよびフッタは、例えば、ＨＴＭＬファイルや画像ファイルで作成されている。
なお、本実施形態では、キャンペーン開催者がヘッダおよびフッタの指定をしない場合には、システムであらかじめ用意しているヘッダおよびフッタをデフォルトとしてキャンペーンのページに表示するが、キャンペーン開催者が自分で用意したヘッダおよびフッタをサーバ１１０にアップロードしてキャンペーンのページに表示させることもできるものとする。
後者の場合、ヘッダおよびフッタのファイル名をシステムで決めたルールに従って付ける必要がある。例えば、キャンペーン・データベース１１４のキャンペーン英名をファイル名に用いる（例えば、キャンペーン英名が「ｃｐｎ００１」である場合、ヘッダは「ｃｐｎ００１＿ｈｅａｄｅｒ」、フッタは「ｃｐｎ００１＿ｆｏｏｔｅｒ」）。これにより、キャンペーンのページに、指定したヘッダおよびフッタを表示することができる。
【００３２】
図９のキャンペーン一覧画面９００に戻り、「編集」ボタン９１２をクリックすると、キャンペーン編集画面１２００に遷移する。
図１２は、キャンペーン編集画面１２００の例を示した図である。キャンペーン情報編集欄１２１０には、そのキャンペーンのキャンペーン和名、キャンペーン英名、キャンペーン期間、当選確率、キャンペーンタイプ、広告メッセージ、広告ＵＲＬ（パソコン）、広告ＵＲＬ（モバイル）、ポイント有効期間を、キャンペーン・データベース１１４から読み出して、テキストボックス等の編集可能な入力欄に表示する。キャンペーンＵＲＬ（パソコン）およびキャンペーンＵＲＬ（モバイル）は、編集できない形式で表示する。
ポイント付与情報編集欄１２２０には、付与ポイント数および最大付与件数を、キャンペーン・データベース１１４から読み出して、テキストボックス等の編集可能な入力欄に表示する。
キャンペーン開催者が上述の項目を編集して「確認」ボタン１２３０をクリックすると、キャンペーン編集確認画面１３００に遷移する。また、「戻る」リンク１２４０をクリックすると、図９のキャンペーン一覧画面９００に遷移する。
【００３３】
図１３は、キャンペーン編集確認画面１３００の例を示した図である。キャンペーン情報表示欄１３１０およびポイント付与情報表示欄１３２０には編集後の各項目を表示する。ここで、編集された項目については文字色を変える等により分かり易く表示するとよい。
「実行」ボタン１３３０をクリックすると、キャンペーン登録処理１１２を起動して、編集内容でキャンペーン・データベース１１４を更新し、キャンペーン編集完了画面１４００に遷移する。「戻る」リンク１３４０をクリックすると、図１２のキャンペーン編集画面１２００に戻る。
図１４は、キャンペーン編集完了画面１４００の例を示した図である。「トップ画面へ」ボタン１４１０をクリックすると、図５のトップ画面５００に遷移する。「戻る」リンク１４２０をクリックすると、図９のキャンペーン一覧画面９００に遷移する。
【００３４】
図９のキャンペーン一覧画面９００に戻り、「削除」ボタン９１３をクリックすると、キャンペーン削除画面１５００に遷移する。
図１５は、キャンペーン削除画面１５００の例を示した図である。キャンペーン情報表示欄１５１０およびポイント付与情報表示欄１５２０にはキャンペーンの各項目をキャンペーン・データベース１１４から読み出して表示する。
「削除」ボタン１５３０をクリックすると、キャンペーン登録処理１１２を起動して、キャンペーン・データベース１１４からそのキャンペーンを削除し、キャンペーン削除完了画面１６００に遷移する。「戻る」リンク１５４０をクリックすると、図９のキャンペーン一覧画面９００に遷移する。
図１６は、キャンペーン削除完了画面１６００の例を示した図である。「トップ画面へ」ボタン１６１０をクリックすると、図５のトップ画面５００に遷移する。「戻る」リンク１６２０をクリックすると、図９のキャンペーン一覧画面９００に遷移する。
【００３５】
このように、本実施形態のキャンペーン実施システムでは、キャンペーン開催者のために、キャンペーン登録用の画面を用意する。
したがって、キャンペーン開催者は、キャンペーン期間・当選確率・付与ポイント数・最大付与件数・広告ＵＲＬ等の情報を、用意されているフォームに入力するだけで、キャンペーンを作成し、サーバ１１０のキャンペーン・データベース１１４に登録することができる。また、いちど登録したキャンペーンの編集や削除も簡単に行なうことができる。
【００３６】
（２）キャンペーン通知
ユーザへのキャンペーンの通知は、キャンペーンＵＲＬをユーザに通知することにより行なう。
キャンペーンＵＲＬをユーザに通知する方法として、例えば、メールマガジンなどの電子メールや、ユーザ専用のページ等にＵＲＬを表示して通知する方法がある。これらの方法は、一定の属性（性別、年齢層、嗜好等）をもつユーザをターゲットとしてキャンペーンをクローズドで行ないたい場合に有効である。ただし厳密には、ＵＲＬを知っているユーザは誰でもキャンペーンに参加できる。
また、誰でも閲覧できるウェブサイト上に掲載する方法もある。これは、キャンペーンをオープン（誰でも参加できる）で行ないたい場合に有効である。この場合において、キャンペーンＵＲＬを目立つように掲載すれば、多数のユーザの参加を得ることができる。逆に、多くのリンクに紛れて目立たないように掲載することにより、ユーザにページ上での宝探し的な楽しみを持たせることができる上、ユーザがあちこちのリンクをクリックするため、多くのページを閲覧してもらうことができる。
また、紙媒体（例えば雑誌やチラシ等）にＵＲＬやＱＲコードを掲載することにより通知する方法もある。これも、キャンペーンをオープンで行ないたい場合に有効であるが、実際には、その雑誌やチラシ等がターゲットとしているユーザ層からの参加を多く得られることが期待できる。
なお、電子メールやウェブページへの掲載によりキャンペーンＵＲＬをユーザに通知する場合には、キャンペーン・データベース１１４のキャンペーン期間を参照して、キャンペーン開始日の前日や当日等のあらかじめ定めた日に、自動的に電子メールの生成・送信やウェブページの更新を行なうようにしてもよい。
【００３７】
本実施形態のキャンペーン実施システムでは、上述したように、登録されたキャンペーンごとにキャンペーンＵＲＬを用意しているため、キャンペーンのユーザへの通知を、簡単に、かつさまざまな方法で行なうことができる。なお、上述の通知方法は一例であり、他の方法でキャンペーンＵＲＬをユーザに通知してもよい。
【００３８】
（３）キャンペーン実施
ユーザがユーザ端末１４０からキャンペーンＵＲＬにアクセスすると、キャンペーン実施処理１１３が起動して、キャンペーンを実施してユーザにポイントを付与する。
図１７は、キャンペーン実施処理１１３の処理手順の例を示したフローチャートである。なお、ここでは、ユーザ・データベース１１４に登録済みのユーザに対するキャンペーンを例として説明する。
まず、ユーザ端末１４０からキャンペーンＵＲＬへのアクセスを受信する（Ｓ１７０５）と、キャンペーン・データベース１１４を参照して、キャンペーン期間中であるかを判断する（Ｓ１７１０）。なお、上述したように、本実施形態ではキャンペーンＵＲＬにキャンペーンＩＤを使用しているため、すぐにキャンペーンを識別することができる。
そして、キャンペーン期間中でない場合（Ｓ１７１０でＮｏの場合）には、ユーザ端末１４０に期間外通知ページを送信して、キャンペーン期間外である旨を通知する（Ｓ１７１５）。期間外通知ページは、ユーザ端末１４０のブラウザ１４１に表示される。以降のページについても同様である。
最後に、広告ページを送信して（Ｓ１７７５）、処理を終了する。すなわち、ユーザ端末１４０から見ると、自動的に期間外通知ページから広告ページに遷移することになる。
【００３９】
図１８は、期間外通知ページの例を示した図である。なお、以降ではパソコン用のページを例として説明するが、携帯電話用のページにおいてもほぼ同様であり、相違点は随時説明する。
期間外通知ページ１８００において、ヘッダ表示部１８１０およびフッタ表示部１８２０には、ヘッダおよびフッタを表示する。上述したように、本実施形態ではキャンペーン英名をファイル名に持つヘッダファイルおよびフッタファイルを、そのキャンペーンのヘッダおよびフッタとしてページの上部および下部に表示し、そのようなファイルがない場合には、システムであらかじめ用意したデフォルトのヘッダおよびフッタを表示する。なお、以降の全てのページにおいても同様である。
メッセージ表示欄１８３０には、あらかじめ用意されている、期間外を通知するためのメッセージを表示し、そのキャンペーンのキャンペーン期間をキャンペーン・データベース１１４から読み出して表示する。広告ページ表示リンク１８４０は、キャンペーン・データベース１１４の広告ページＵＲＬへのリンクであり、あらかじめ定めた時間後（例えば、５秒後）に自動的に広告ページに遷移する（図１７のＳ１７７５）。また、リンクをクリックしても広告ページに遷移する。なお、携帯電話用のページの場合には、自動的な遷移はできないため、クリックによる遷移のみとする。以降のページにおいても同様である。
広告ページ表示リンク１８４０に表示されているメッセージ（図１８では「お得な情報へ今すぐアクセス！」）は、キャンペーン・データベース１１４の広告メッセージである。
【００４０】
図１７のフローチャートに戻り、キャンペーン期間中である場合（Ｓ１７１０でＹｅｓの場合）には、該ユーザがログイン済みであるかを判断する（Ｓ１７２０）。上述したように、本実施形態では登録済みのユーザをキャンペーンの対象としているからである。
ログイン済みの場合（Ｓ１７２０でＹｅｓの場合）には次の処理に進む。一方、まだログインしていない場合（Ｓ１７２０でＮｏの場合）には、ユーザ端末１４０に、ユーザにログインさせるためのログインページを送信する（Ｓ１７２５）。
図１９は、ログインページの例を示した図である。ログインページ１９００において、ヘッダ表示部１９１０およびフッタ表示部１９２０は、上述の図１８と同様である。
ユーザＩＤ入力欄１９３０は、ユーザがユーザＩＤを入力するための入力欄である。パスワード入力欄１９４０は、ユーザがパスワードを入力するための入力欄である。ユーザがこれらを入力して「ログイン」ボタン１９５０をクリックすると、ユーザＩＤとパスワードがサーバ１１０に送信され、ログイン処理を行なう（Ｓ１７３０）。ログイン処理は、受信したユーザＩＤとパスワードをチェックして、正しければログインしてユーザを識別するという、従来行なわれている方法によるものとする。
なお、クッキーの機能を利用することにより、ユーザがそのユーザ端末１４０から既にログインを行なっていた場合には、ユーザ端末１４０からクッキーを受信してユーザを識別するようにしてもよい。
また、上述したように、本実施形態では誰でも閲覧できる紙媒体やウェブサイトにキャンペーンＵＲＬを掲載してキャンペーンを通知することができるため、登録済みのユーザ以外の利用者もキャンペーンＵＲＬにアクセスする場合がある。したがって、キャンペーンＵＲＬにアクセスした未登録の利用者が、例えば図１９のログインページ１９００でユーザ登録の手続を行なうことができるようにするとよい。ここで登録したユーザは、既に登録済みのユーザと同様に、キャンペーンに参加してポイントを得ることができる。
【００４１】
図１７に戻り、ログイン済み（Ｓ１７２０でＹｅｓの場合）である場合、または、上述のログインページ１９００からのログイン（上述のＳ１７２５〜Ｓ１７３０）が行なわれると、次に、ポイントの最大付与件数に達しているかを判断する（Ｓ１７３５）。具体的には、キャンペーン・データベース１１４の最大付与件数とポイント付与数を参照して、ポイント付与数が最大付与件数に達しているかを判断する。
最大付与件数に達している場合（Ｓ１７３５でＹｅｓの場合）には、もうポイントを付与することはできないので、ユーザ端末１４０に、件数到達である旨を通知するための件数到達通知ページを送信する（Ｓ１７４０）。
図２０は、件数到達通知ページの例を示した図である。件数到達通知ページ２０００において、ヘッダ表示部２０１０およびフッタ表示部２０２０は、上述の図１８と同様である。メッセージ表示欄２０３０には、あらかじめ用意されている、件数到達を通知するためのメッセージを表示する。また、広告ページ表示リンク２０４０は上述の図１８と同様であり、広告ページを送信して（図１７のＳ１７７５）処理を終了する。
【００４２】
一方、まだ最大付与件数に達していない場合（Ｓ１７３５でＮｏの場合）には、該ユーザがそのキャンペーンに初参加であるかを判断する（Ｓ１７４５）。具体的には、ユーザ・データベース１１５のキャンペーン参加状況を参照して、該キャンペーンに参加済みであるか、初参加であるかを判断する。
キャンペーンに参加済みである場合（Ｓ１７４５でＮｏの場合）には、そのユーザはもう該キャンペーンに参加することはできないので、ユーザ端末１４０に、参加済みである旨を通知するための参加済通知ページを送信する（Ｓ１７５０）。
図２１は、参加済通知ページの例を示した図である。参加済通知ページ２１００において、ヘッダ表示部２１１０およびフッタ表示部２１２０は、上述の図１８と同様である。メッセージ表示欄２１３０には、あらかじめ用意されている、参加済みを通知するためのメッセージを表示する。また、広告ページ表示リンク２１４０は上述の図１８と同様であり、広告ページを送信して（図１７のＳ１７７５）処理を終了する。
【００４３】
一方、該ユーザがそのキャンペーンに初参加である場合（Ｓ１７４５でＹｅｓの場合）には、該ユーザにポイントを付与する。ここで、参加者に抽選でポイント付与を行なう場合には、ユーザ・データベース１１５の当選確率に従って抽選を行なう（Ｓ１７５５）。抽選の方法は、従来行なわれている懸賞やくじ等と同様の方法を用いることができる。なお、ユーザ・データベース１１５の当選確率が１００％である場合には、上述のＳ１７４５のステップまでの条件を満たした全員が当選者となる。
また、あらかじめ当選者を決めておくキャンペーンを行なう場合には、先にユーザ・データベース１１５に登録されているユーザから、キャンペーン・データベース１１４の当選確率に従って決定した当選者の情報をサーバ１１０に記憶しておき、上述の抽選（Ｓ１７５５）の代わりに、記憶された該当選者の情報を参照することにより行なうことができる。
【００４４】
抽選結果が落選である場合（Ｓ１７６０でＮｏの場合）には、ユーザ・データベース１１５のキャンペーン参加状況を更新して、該ユーザがこのキャンペーンに参加済みとなった旨を記憶する。そして、ユーザ端末１４０に、落選である旨を通知するための落選通知ページを送信する（Ｓ１７６５）。
図２２は、落選通知ページの例を示した図である。落選通知ページ２２００において、ヘッダ表示部２２１０およびフッタ表示部２２２０は、上述の図１８と同様である。メッセージ表示欄２２３０には、あらかじめ用意されている、落選を通知するためのメッセージを表示する。また、広告ページ表示リンク２２４０は上述の図１８と同様であり、広告ページを送信して（図１７のＳ１７７５）処理を終了する。
【００４５】
一方、抽選結果が当選である場合（Ｓ１７６０でＹｅｓの場合）には、キャンペーン・データベース１１４を更新して、ポイント付与数を１増やす。また、ユーザ・データベース１１５のキャンペーン参加状況を更新して、該ユーザがこのキャンペーンに参加済みとなった旨を記憶する。また、ユーザにポイントを付与する。すなわち、ユーザ・データベース１１５の取得ポイント数に今回獲得したポイント数を加算する。また、キャンペーン・データベース１１４のポイント有効期間に従って、ユーザ・データベース１１５のポイント有効期間情報を更新する。そして、ユーザ端末１４０に、ポイントを獲得した旨を通知するためのポイント獲得通知ページを送信する（Ｓ１７７０）。
図２３は、ポイント獲得通知ページの例を示した図である。ポイント獲得通知ページ２３００において、ヘッダ表示部２３１０およびフッタ表示部２３２０は、上述の図１８と同様である。メッセージ表示欄２３３０には、あらかじめ用意されている、ポイント取得を通知するためのメッセージを表示し、獲得したポイントをキャンペーン・データベース１１４から読み出して表示する。また、そのユーザの取得ポイント数をユーザ・データベース１１５から読み出して、現在の保有ポイント数として表示する。また、広告ページ表示リンク２３４０は上述の図１８と同様であり、広告ページを送信して（図１７のＳ１７７５）処理を終了する。
【００４６】
このように、本実施形態のキャンペーン実施システムでは、当選確率、付与ポイント数、最大付与件数の値の組合せにより、抽選や全員当選、先着当選等の多彩な当選者決定方法を採ることができる。
また、あらかじめ抽選結果（当選者）が決まっているキャンペーンや、１名に１００ポイント、１０名に５０ポイント、１０００名に１ポイントといった等級付きのポイント付与を行なうキャンペーンにも応用可能である。
また、本実施形態の例ではポイントを賞品としているため、登録済みの（またはこれから登録する）ユーザを対象としているが、ユーザ登録を条件としないキャンペーンにも応用可能である。
【図面の簡単な説明】
【００４７】
【図１】本実施形態のキャンペーン実施システムのシステム構成例を示した図である。
【図２】キャンペーン・データベースの項目の例を示した図である。
【図３】ユーザ・データベースの項目の例を示した図である。
【図４】キャンペーン登録の画面の遷移を示した図である。
【図５】トップ画面の例を示した図である。
【図６】キャンペーン登録画面の例を示した図である。
【図７】キャンペーン登録確認画面の例を示した図である。
【図８】キャンペーン登録完了画面の例を示した図である。
【図９】キャンペーン一覧画面の例を示した図である。
【図１０】編集権限がない場合のキャンペーン一覧画面の例を示した図である。
【図１１】キャンペーン詳細画面の例を示した図である。
【図１２】キャンペーン編集画面の例を示した図である。
【図１３】キャンペーン編集確認画面の例を示した図である。
【図１４】キャンペーン編集完了画面の例を示した図である。
【図１５】キャンペーン削除画面の例を示した図である。
【図１６】キャンペーン削除完了画面の例を示した図である。
【図１７】キャンペーン実施処理の処理手順の例を示したフローチャートである。
【図１８】期間外通知ページの例を示した図である。
【図１９】ログインページの例を示した図である。
【図２０】件数到達通知ページの例を示した図である。
【図２１】参加済通知ページの例を示した図である。
【図２２】落選通知ページの例を示した図である。
【図２３】ポイント獲得通知ページの例を示した図である。
【符号の説明】
【００４８】
１１０      サーバ
１１１      広告ページ
１１２      キャンペーン登録処理
１１３      キャンペーン実施処理
１１４      キャンペーン・データベース
１１５      ユーザ・データベース
１２０      管理者端末
１３０      インターネット
１４０      ユーザ端末
１４１      ブラウザ
５００      トップ画面
５１０      「キャンペーン登録ツール」リンク
５２０      「キャンペーン一覧ツール」リンク
６００      キャンペーン登録画面
６１０      キャンペーン情報入力欄
６２０      「次へ」ボタン
６３０      「戻る」リンク
７００      キャンペーン登録確認画面
７１０      キャンペーン情報表示欄
７２０      「登録」ボタン
７３０      「戻る」リンク
８００      キャンペーン登録完了画面
８１０      キャンペーンＵＲＬ（パソコン）表示欄
８２０      キャンペーンＵＲＬ（携帯電話）表示欄
８３０      「管理メニューへ」リンク
９００      キャンペーン一覧画面
９１０      キャンペーン一覧表示欄
９１１      「詳細」ボタン
９１２      「編集」ボタン
９１３      「削除」ボタン
９２０      件数表示欄
９３０      「戻る」リンク
１０００    キャンペーン一覧画面
１０１０    キャンペーン一覧表示欄
１０１１    「詳細」ボタン
１０１２    「削除」ボタン
１０２０    件数表示欄
１０３０    「戻る」リンク
１１００    キャンペーン詳細画面
１１１０    キャンペーン情報表示欄
１１２０    ポイント付与情報表示欄
１１３０    ヘッダ（パソコン）表示欄
１１４０    フッタ（パソコン）表示欄
１１５０    ヘッダ（モバイル）表示欄
１１６０    フッタ（モバイル）表示欄
１２００    キャンペーン編集画面
１２１０    キャンペーン情報編集欄
１２２０    ポイント付与情報編集欄
１２３０    「確認」ボタン
１２４０    「戻る」リンク
１３００    キャンペーン編集確認画面
１３１０    キャンペーン情報表示欄
１３２０    ポイント付与情報表示欄
１３３０    「実行」ボタン
１３４０    「戻る」リンク
１４００    キャンペーン編集完了画面
１４１０    「トップ画面へ」ボタン
１４２０    「戻る」リンク
１５００    キャンペーン削除画面
１５１０    キャンペーン情報表示欄
１５２０    ポイント付与情報表示欄
１５３０    「削除」ボタン
１５４０    「戻る」リンク
１６００    キャンペーン削除完了画面
１６１０    「トップ画面へ」ボタン
１６２０    「戻る」リンク
１８００    期間外通知ページ
１８１０    ヘッダ表示部
１８２０    フッタ表示部
１８３０    メッセージ表示欄
１８４０    広告ページ表示リンク
１９００    ログインページ
１９１０    ヘッダ表示部
１９２０    フッタ表示部
１９３０    ユーザＩＤ入力欄
１９４０    パスワード入力欄
１９５０    「ログイン」ボタン
２０００    件数到達通知ページ
２０１０    ヘッダ表示部
２０２０    フッタ表示部
２０３０    メッセージ表示欄
２０４０    広告ページ表示リンク
２１００    参加済通知ページ
２１１０    ヘッダ表示部
２１２０    フッタ表示部
２１３０    メッセージ表示欄
２１４０    広告ページ表示リンク
２２００    落選通知ページ
２２１０    ヘッダ表示部
２２２０    フッタ表示部
２２３０    メッセージ表示欄
２２４０    広告ページ表示リンク
２３００    ポイント獲得通知ページ
２３１０    ヘッダ表示部
２３２０    フッタ表示部
２３３０    メッセージ表示欄
２３４０    広告ページ表示リンク
【図１】
2008077521.tif 000003
【図２】
2008077521.tif 000004
【図３】
2008077521.tif 000005
【図４】
2008077521.tif 000006
【図５】
2008077521.tif 000007
【図６】
2008077521.tif 000008
【図７】
2008077521.tif 000009
【図８】
2008077521.tif 000010
【図９】
2008077521.tif 000011
【図１０】
2008077521.tif 000012
【図１１】
2008077521.tif 000013
【図１２】
2008077521.tif 000014
【図１３】
2008077521.tif 000015
【図１４】
2008077521.tif 000016
【図１５】
2008077521.tif 000017
【図１６】
2008077521.tif 000018
【図１７】
2008077521.tif 000019
【図１８】
2008077521.tif 000020
【図１９】
2008077521.tif 000021
【図２０】
2008077521.tif 000022
【図２１】
2008077521.tif 000023
【図２２】
2008077521.tif 000024
【図２３】
2008077521.tif 000025